(57)【要約】【課題】給電される電気部品を具備した可動体の移動に支障がなく、省スペースでも配線の処理が確実に行える遊技機の配線処理構造を提供する。【解決手段】配線処理部２４は、固定部材２２に可動可能に取り付けられる可動取付部２５と、可動取付部２５と連繋し、接続配線２３を中途位置で結束する結束具２６とを具備し、可動体２０の変位に伴う接続配線２３の移動を可動取付部２５の可動範囲で規制する。【選択図】図４
2010017397.tif 000002
【特許請求の範囲】
【請求項１】
遊技機の固定部材に固定された配線基板と、
前記遊技機の所定箇所に設けられ、給電される電気部品を具備し駆動源によって所定範囲で変位する可動体と、
前記配線基板と可動体との間に配線され前記電気部品に給電する接続配線と、
前記可動体の変位に伴う前記接続配線の配線処理を行う配線処理手段と、を備え、
前記配線処理手段は、前記固定部材に可動可能に取り付けられる可動取付部と、前記可動取付部と連繋し、前記接続配線を中途位置で結束する結束具とを具備し、前記可動体の変位に伴う接続配線の移動を前記可動取付部の可動範囲で規制することを特徴とする遊技機の配線処理構造。
【請求項２】
前記固定部材と前記可動取付部とは、いずれか一方に設けられた突起部とその突起部が挿入される他方に設けられた孔との嵌め合いにより可動可能に組み付けられている請求項１記載の遊技機の配線処理構造。
【請求項３】
前記可動取付部本体の板厚より幅広に形成された配線受け部が形成され、該配線受け部に結束された接続配線が受け止められる請求項１又は２記載の遊技機の配線処理構造。
【請求項４】
前記配線受け部には、結束された前記接続配線のばらつきを規制する規制部が形成されている請求項３記載の遊技機の配線処理構造。
【請求項５】
遊技状態に応じて変位可能に設けられる可動体に請求項１乃至４のいずれか１項に記載の配線処理構造を備えた遊技機。
【発明の詳細な説明】
【技術分野】
【０００１】
本発明は、遊技機の配線処理構造及びこれを備えた遊技機に関する。
【背景技術】
【０００２】
パチンコ機などの遊技機には、外枠に対して開閉可能に設けられた内枠に遊技盤が着脱可能に組み付けられている。内枠には前面枠が開閉可能に設けられている。
【０００３】
遊技盤の遊技領域においては、可変表示装置（液晶表示装置）の周囲に様々な役物が設けられている。例えば遊技状態に応じて発光する可動体が遊技領域内で移動することで視覚的に変化をもたせて遊技者の注目を引くことで演出効果を高めた様々な遊技機用役物が提案されている。具体的には、表示状態が変化する可変表示装置のほかに位置変化する補助表示装置が設けられていたり（特許文献１）、発光手段を備えた第一可動装飾体に連繋する第一昇降部材と発光手段を備えた第二可動装飾体に連繋する第二昇降部材とが各々昇降することによって、発光する第一，第二可動装飾体が開閉動作したりするようになっている（特許文献２）。
【０００４】
上述した補助表示装置や昇降部材などの可動体には発光手段が設けられており、該発光手段へ給電するケーブルが配線接続されている。可動体の移動に伴って発光手段に接続するケーブルが屈伸するようになっているが、該ケーブルが撓んで可動体と干渉したり他の部材と接触して擦れたりするのを避けるため、様々な配線処理が施されている。
【０００５】
例えば、ケーブルを保持するケーブル保持機構がケーブルの屈伸に応じて可動するようになっている。ケーブルが撓んでくるとケーブル保持機構が回動軸を中心に所定方向へ回転するか或いはケーブルの途中を保持するケーブル保持部材がガイドレールに沿ってスライドしてケーブルの余裕分を逃がすようになっている（特許文献１）。
また、第一，第二昇降部材が最も下降した位置で配線コードが弛まないように配線バンドにより固定することで、その後の第一，第二昇降部材の変位により配線コードが撓んで第一，第二昇降部材の移動の妨げとならないようになっている（特許文献２）。
【特許文献１】特許第４０６８５２２号公報
【特許文献２】特開２００７−１７５１７４号公報
【発明の開示】
【発明が解決しようとする課題】
【０００６】
しかしながら、上述した特許文献１の配線処理構造は、可動体の移動に伴うケーブルの屈伸に応じてケーブル保持機構が回転するのでケーブルに対して大きな負荷となる。また、常時ケーブルと保持機構等が接触している状態にあるので、ケーブルが擦れて被膜が剥がれ易く、ケーブルが曲げられ、断線する。
【０００７】
また、特許文献２の配線処理構造は、配線コードの先端側が第一昇降部材又は第二昇降部材と保持手段によって保持されたまま垂れ下がった状態で昇降するため、可動体が一旦上昇位置へ移動した後、再度下降位置へ戻る際に配線コードの途中に設けられている配線バンド（配線保持手段）が元の位置（移動前の位置）に戻るという保証はない。
【０００８】
本発明の目的は、給電される電気部品を具備した可動体の移動に支障がなく、省スペースでも配線の処理が確実に行える組付性のよい遊技機の配線処理構造及びこれを備えた遊技機を提供することにある。
【課題を解決するための手段】
【０００９】
本発明は上記目的を達成するため、次の構成を備えたことを特徴とする。
遊技機の固定部材に固定された配線基板と、遊技機の所定箇所に設けられ、給電される電気部品を具備し駆動源によって所定範囲で変位する可動体と、前記配線基板と可動体との間に配線され前記電気部品に給電する接続配線と、前記可動体の変位に伴う前記接続配線の配線処理を行う配線処理手段と、を備え、前記配線処理手段は、前記固定部材に可動可能に取り付けられる可動取付部と、前記可動取付部と連繋し、前記接続配線を中途位置で結束する結束具とを具備し、前記可動体の変位に伴う接続配線の移動を前記可動取付部の可動範囲で規制することを特徴とする。
【００１０】
また、前記固定部材と前記可動取付部とは、いずれか一方に設けられた突起部とその突起部が挿入される他方に設けられた孔との嵌め合いにより可動可能に組み付けられていることを特徴とする。
【００１１】
また、前記可動取付部本体の板厚より幅広に形成された配線受け部が形成され、該配線受け部に結束された接続配線が受け止められることを特徴とする。
【００１２】
前記配線受け部には、結束された前記接続配線の広がりを規制する規制部が形成されていることを特徴とする。
【００１３】
また、遊技機においては、遊技状態に応じて変位可能に設けられる可動体に上述したいずれかの配線処理構造を備えたことを特徴とする。
【発明の効果】
【００１４】
上述した遊技機の配線処理構造を用いれば、可動体の変位に伴う接続配線の移動を可動取付部の可動範囲で規制して配線処理を行うので、接続配線の移動により発生する張力の変化や撓みの発生を可動取付部の可動範囲で吸収して接続配線を所定方向へ確実に誘導することができる。よって、配線長の長短や可動体の変位量に応じた配線処理をコンパクトなスペースで行うことができ、可動体に応じて可動取付部を交換するだけで汎用性のある配線処理が行なえる。
【００１５】
また、固定部材と可動取付部とは、いずれか一方に設けられた突起部とその突起部が挿入される他方に設けられた孔との嵌め合いにより可動可能に組み付けられているので、突起部と孔（円弧，長円，矩形など）の形状を選択して変更するだけで、可動取付部の可動範囲を変えることができる。これにより、配線に無理な負荷をかけることなく配線数，配線長や配線の撓み量、更には可動体の変位量に応じた適切な配線処理動作が可能となる。
【００１６】
また、可動取付部本体の板厚より幅広に形成された配線受け部が形成され、該配線受け部に結束された接続配線が受け止められてガイドされるので、接続配線と可動取付部との接触や摩擦に起因する断線から保護することができる。
【００１７】
また、配線受け部には、結束された接続配線のばらつきを規制する規制部が形成されていると、当該規制部により結束された接続配線の配線方向に交差する方向へのばらつき（広がり）を防止することができる。
【００１８】
更には、可動体に上述したいずれかの配線処理構造を備えた遊技機においては、省スペースであっても可動体の変位に応じた配線処理が行えるので、接続配線が撓んだり絡まったり他の部材と擦れたりすることがなくなる。よって、遊技機の耐久性が向上するとともに、遊技者の興趣が尽きない多彩な演出を行なうことができる。
【発明を実施するための最良の形態】
【００１９】
以下、本発明の実施形態について図面を参照しながら具体的に説明する。
図１を参照して本実施形態に係る遊技機の概略構成について説明する。本実施形態では遊技機の一例としてパチンコ機を例示して説明するものとする。パチンコ機１は、外枠２と遊技盤３が設けられた内枠（図示せず）と、該内枠を覆う前面枠４を備えている。図示しない内枠は、ヒンジ５により外枠２に対して開閉可能に取り付けられている。また前面枠４は内枠に対して開閉可能に取り付けられている（ヒンジ部図示せず）。前面枠４の中央部には遊技者が遊技盤３を透視できる窓部６が設けられている。該窓部６の周囲には装飾部７ａ，７ｂやスピーカー（図示せず）などが設けられる。
【００２０】
また、前面枠４の窓部６の下方には貸球や賞球を貯留し図示しない発射装置へ球を誘導する上球受け皿９ａが設けられ、その下方に上球受け皿９ａの余剰球を貯留する下球受け皿９ｂ、下球受け皿９ｂの左側にタバコの吸殻を収容する灰皿１０、下球受け皿９ｂの右側に遊技盤３に遊技球を打ち出すための発射ハンドル１１が各々設けられている。
【００２１】
遊技盤３の遊技領域内には、中央部に図柄表示装置（液晶表示装置）８を備えたセンター役物１２が設けられ、その周囲には図示しない釘、スルーチャッカー１３、風車１４、電動チューリップ１５、アタッカー１６、レール１７、サイドランプ１８などの盤面部品やアウト口１９などが設けられている。
【００２２】
センター役物１２の構造物には、図柄表示装置８が配置される前方空間部Ｓに遊技状態に応じて可動体２０が上方位置から画面前方の下方位置まで移動可能に設けられている。可動体２０には例えばＬＥＤなどの電気部品が設けられており該電気部品に給電する接続配線２３が接続されている（図４（ａ）参照）。
【００２３】
図４（ａ）において、配線基板２１は、パチンコ機１（図１参照）の固定部材２２に固定されている。配線基板２１には、可動体２０を移動させるモータ、ソレノイドなどに給電する接続配線を接続するコネクタや制御回路などが設けられている。可動体２０と配線基板２１とはコネクタ２０ａとコネクタ２１ａを介して接続配線２３により電気的に接続され、可動体２０の電気部品に給電されるようになっている。可動体２０は、例えば入賞口への入賞やリーチなどの遊技状態に応じて、図柄表示装置８の前方空間部ＳにＬＥＤを発光（点滅）しながら上下方向に所定範囲で変位する（図１参照）。
【００２４】
図４（ａ），（ｂ）において、配線処理部２４（配線処理手段）は、可動体２０の変位に伴う接続配線２３の配線処理を行う。具体的には、配線処理部２４は、固定部材２２に可動可能に取り付けられる可動取付部２５と、該可動取付部２５と連繋し、接続配線２３を中途位置で結束する結束具（結束バンド）２６を備えている。即ち、配線処理部２４は、可動体２０の変位にともなう接続配線２３の移動を可動取付部２５の可動範囲で規制するようになっている。
【００２５】
また、図３において固定部材２２にはボス（突起部）２７が突設されている。図２において、可動取付部２５にはボス２７（図３参照）が挿入される貫通孔２５ａが形成されている。また、可動取付部２５の自由端側には、結束バンド２６（図３参照）を挿入するスリット孔２５ｂが形成されている。結束バンド２６は、バンド部２６ａの端部に係止孔２６ｃが形成された係止部２６ｂが設けられている。結束バンド２６は、バンド部２６ａをスリット孔２５ｂに挿通して可動取付部２５と連繋する。この結束バンド２６を可動取付部２５と連繋した状態で接続配線２３の中途位置を束ね、バンド部２６ａの先端側を係止部２６ｂの係止孔２６ｃに挿入してリング状に縮径することで接続配線２３が結束される。
【００２６】
また、可動取付部２５は、貫通孔２５ａにボス２７を挿入して回動可能（正逆いずれの方向にも回転可能）に組み付けられ、貫通孔２５ａより露出するボス孔２７ａに、止めねじ２８を座金付で嵌め込んで抜け止めされる。尚、可動取付部２５は、止めねじ２８を用いることなく突起部（ボス２７）の先端に他の部品を当接させて抜け止めされていてもよい。また、可動取付部２５に突起部が設けられ固定部材２２側に設けられた孔と回動可能に嵌め合う構造でもよい。
【００２７】
図４（ａ）は可動体２０が上位置にある状態を示す。可動体２０と配線基板２１とを接続する接続配線２３は、可動取付部２５によって左斜め上方に向けてガイドされている。このとき可動取付部２５は、垂下した位置を中立位置とすればかかる中立位置よりボス２７（図３参照）を中心として所定量時計回り方向へ回転した状態にある。
【００２８】
図４（ｂ）において、可動体２０が下位置へ移動すると、比較的張力が作用していた接続配線２３に余裕ができて撓みが生ずる。この接続配線２３の撓み分は、可動取付部２５の移動により吸収される。即ち、可動取付部２５はボス２７（図３参照）を中心として中立位置より反時計回り方向へ所定量回転した状態にある。
【００２９】
次に、配線処理部２４（配線処理手段）の他例について図５及び図６を参照して説明する。
図５において、可動取付部２５の他例について説明する。図２と図５の可動取付部２５の形態は貫通孔２５ａの形態が異なっている。即ち、図２においては、貫通孔２５ａの形状が円形であり、ボス２７（図３参照）を中心に回動するようになっていたが、図５では貫通孔２５ａが長孔形状に形成されており、回動に加えてスライド（直線）運動するようになっている。
【００３０】
次に可動体２０の移動に伴う配線処理部２４（配線処理手段）の配線処理動作について図６（ａ）（ｂ）を参照して説明する。
図６（ａ）は、可動体２０が上位置にある状態を示す。可動体２０と配線基板２１とを接続する接続配線２３は、可動取付部２５によって左斜め上方に向けてガイドされている。このとき可動取付部２５は、中立位置（垂下位置）よりボス２７（図３参照）を中心として所定量時計回り方向へ回転した状態でかつ可動取付部２５が右斜め上方に押し上げられた（ボス２７（図３参照）に貫通孔２５ａの下端側が当接した）状態にある。
【００３１】
図６（ｂ）において、可動体２０が下位置へ移動すると、比較的張力が作用していた接続配線２３に余裕ができて撓みが生ずる。この接続配線２３の撓み分は、可動取付部２５の移動により吸収される。即ち、可動取付部２５はボス２７（図３参照）を中心として中立位置より反時計回り方向へ所定量回転しかつ可動取付部２５が右斜め下方に押し下げられて（ボス２７（図３参照）に貫通孔２５ａの上端側が当接して）撓み分が吸収される。
尚、可動取付部２５に突起部が設けられ固定部材２２側に孔が設けられて回動可能かつスライド可能に嵌め合う構造でもよい。
【００３２】
次に、配線処理部２４（配線処理手段）の他例について図７及び図８を参照して説明する。
図７において、可動取付部２５の他例について説明する。図２と図７の可動取付部２５の形態は貫通孔２５ａの形態が異なっている。即ち、図２においては、貫通孔２５ａの形状が円形であり、ボス２７（図３参照）を中心に回動するようになっていたが、図７では貫通孔２５ａが矩形孔状に形成され、ボス２７の形態も角柱状に形成されており、スライド（直線）運動するようになっている。
【００３３】
次に可動体２０の移動に伴う配線処理部２４（配線処理手段）の動作について図８（ａ）（ｂ）を参照して説明する。
図８（ａ）は、可動体２０が上位置にある状態を示す。可動体２０と配線基板２１とを接続する接続配線２３は、可動取付部２５より左斜め上方に向けてガイドされている。このとき可動取付部２５は、上方に押し上げられた（ボス２７（図３参照）に貫通孔２５ａの下端側が当接した）状態にある。
【００３４】
図８（ｂ）において、可動体２０が下位置へ移動すると、比較的張力が作用していた接続配線２３に余裕ができて撓みが生ずる。この接続配線２３の撓み分は、可動取付部２５の移動により吸収される。即ち、可動取付部２５は下方に押し下げられて（ボス２７（図３参照）に貫通孔２５ａの上端側が当接して）撓み分が吸収される。尚、可動取付部２５に突起部が設けられ固定部材２２側に孔が設けられてスライド可能に嵌め合う構造でもよい。
【００３５】
次に、配線処理部２４（配線処理手段）の他例について図９及び図１０を参照して説明する。
図９において、可動取付部２５の他例について説明する。可動取付部２５は可動取付板が用いられる。可動取付部２５の取付部本体２５ｃには貫通孔２５ａ及びスリット孔２５ｂが形成されている。この可動取付部２５の自由端側には、取付部本体２５ｃの板厚より幅広に（厚く）形成された配線受け部２５ｄが設けられている。この配線受け部２５ｄの板厚は結束具２６によって束ねられる配線数（ピン数）に応じて変更するのが好ましい。
【００３６】
図１０において、接続配線２３が結束バンド２６により可動取付部２５に結束されると当該結束部が配線受け部２５ｄに受け止められるようになっている。
これにより、接続配線２３と可動取付部２５との接触や摩擦に起因する断線から保護することができる。
【００３７】
次に、配線処理部２４（配線処理手段）の他例について図１１及び図１２を参照して説明する。
図１１において、可動取付部２５の他例について説明する。図９の可動取付部２５と同様に貫通孔２５ａ及びスリット孔２５ｂが形成される取付部本体２５ｃの板厚より自由端側が幅広に形成された配線受け部２５ｄが設けられている。また、配線受け部２５ｄには、結束バンド２６によって結束された接続配線２３のばらつきを規制する規制部（リブ）２９が接続配線２３に沿った形で形成されている。このリブ２９の高さは、結束具２６によって束ねられる配線数（ピン数）に応じて変更するのが好ましい。
【００３８】
図１２において、接続配線２３が結束バンド２６により可動取付部２５に結束されると当該結束部がリブ２９間に形成される配線受け部２５ｄに受け止めされるようになっている。これにより、結束された接続配線２３の配線方向に交差する方向へのばらつき（広がり）を防止することができる。
【００３９】
尚、上記発明実施の形態では、可動体２０が上下動する場合について例示したが、これに限らず回転運動や回転と往復動の組み合わせでも良く、或いは開閉するものであってもよい等様々な動作をする可動体２０について適用することができる。
また、遊技機の一例としてパチンコ機について説明したが、他に例えばアレンジボール遊技機、パチスロ遊技機、雀球遊技機等の他の遊技機に設けられる可動体の配線処理構造にも適用できる。
【図面の簡単な説明】
【００４０】
【図１】遊技機の正面図である。
【図２】可動取付部の正面図、Ａ−Ａ断面図、底面図、斜視図である。
【図３】配線処理構造の分解斜視図である。
【図４】配線処理構造の可動体の変位前後における配線処理動作を説明する状態図である。
【図５】他例に係る可動取付部の正面図、Ａ−Ａ断面図、底面図、斜視図である。
【図６】図５の配線処理構造の可動体の変位前後における配線処理動作を説明する状態図である。
【図７】他例に係る可動取付部の正面図、Ａ−Ａ断面図、底面図、斜視図である。
【図８】図７の配線処理構造の可動体の変位前後における配線処理動作を説明する状態図である。
【図９】他例に係る可動取付部の正面図、Ａ−Ａ断面図、底面図、斜視図である。
【図１０】図９の可動取付部を用いた結線状態を示す一部拡大斜視図である。
【図１１】他例に係る可動取付部の正面図、Ａ−Ａ断面図、底面図、斜視図である。
【図１２】図１１の可動取付部を用いた結線状態を示す一部拡大斜視図である。
【符号の説明】
【００４１】
Ｓ  前方空間部
１  遊技機
２  外枠
３  遊技盤
４  前面枠
５  ヒンジ
６  窓部
７ａ，７ｂ  装飾部
８  図柄表示装置
９ａ  上球受け皿
９ｂ  下球受け皿
１０  灰皿
１１  発射ハンドル
１２  センター役物
１３  スルーチャッカー
１４  風車
１５  電動チューリップ
１６  アタッカー
１７  レール
１８  サイドランプ
１９  アウト口
２０  可動体
２１  配線基板  
２０ａ，２１ａ  コネクタ  
２２  固定部材  
２３  接続配線  
２４  配線処理部（配線処理手段）  
２５  可動取付部
２５ａ  貫通孔  
２５ｂ  スリット孔  
２５ｃ  取付部本体  
２５ｄ  配線受け部  
２６  結束具（結束バンド）
２６ａ  バンド部  
２６ｂ  係止部  
２６ｃ  係止孔
２７  ボス（突起部）  
２７ａ  ボス孔  
２８  止めねじ  
２９  規制部（リブ）
【図１】
2010017397.tif 000003
【図２】
2010017397.tif 000004
【図３】
2010017397.tif 000005
【図４】
2010017397.tif 000006
【図５】
2010017397.tif 000007
【図６】
2010017397.tif 000008
【図７】
2010017397.tif 000009
【図８】
2010017397.tif 000010
【図９】
2010017397.tif 000011
【図１０】
2010017397.tif 000012
【図１１】
2010017397.tif 000013
【図１２】
2010017397.tif 000014